(57)【要約】【課題】従来の写真シールプリント装置では、写真を撮影し、撮影画像に対して落書きをする、という遊び方の流れが単調になりがちであり、使用者にとっては、自分の撮影したい画像や編集したい落書きに対しての自由度が少なく、満足できない場合があった。【解決手段】従来の写真シールプリント装置に対して、撮影手段を動作させるための動作手段、動作手段を駆動・停止させる制御手段、撮影手段が撮影開始位置から撮影終了位置まで移動する過程において被写体を撮影する手段を追加した。このため、従来の装置に比較してより多彩な画像が撮影でき、自由度が増加するという効果を持つ。【選択図】  図１
2004236122.tif 000002
【特許請求の範囲】
【請求項１】
被写体の撮影を行なう撮影手段と、該撮影に基づいて画像を作成してプリント紙に出力する画像出力手段とを備える写真シールプリント装置において、
該撮影手段を動作させるための動作手段と、
該動作手段を駆動・停止させる制御手段とを有し、
該撮影手段は、該動作手段により撮影開始位置から撮影終了位置まで移動する過程で被写体を撮影することを特徴とする、
写真シールプリント装置。
【請求項２】
該動作手段は、垂直方向に移動する手段および／または水平方向に移動する手段および／または回転する手段であることを特徴とする、
請求項１に記載の写真シールプリント装置。
【請求項３】
該撮影手段は、撮影開始位置から撮影終了位置まで移動する過程で複数回の撮影をおこなって複数の撮影画像を得、
該複数の撮影画像を合成して一枚の画像を作成することを特徴とする、
請求項１および２に記載の写真シールプリント装置。
【請求項４】
該撮影手段は、撮影開始位置で該撮影手段のシャッターを開放し、撮影終了位置で該撮影手段のシャッターを閉鎖することで、一回の撮影をおこなって一枚の撮影画像を得ることを特徴とする、
請求項１および２に記載の写真シールプリント装置。
【請求項５】
被写体を照明する照明手段を持ち、
該撮影手段が移動するとともに、該照明手段が移動することを特徴とする、
請求項１ないし４に記載の写真シールプリント装置。
【請求項６】
被写体の撮影を行なう撮影手段と、該撮影に基づいて画像を作成してプリント紙に出力する画像出力手段とを備える写真シールプリント装置において、
画像を入力する画像入力手段を持ち、
該画像入力手段により入力された画像から一部分を切り取り、切り取った部分を該撮影手段により撮影された画像と合成することを特徴とする、
写真シールプリント装置。
【請求項７】
被写体の撮影を行ない、該撮影に基づいて画像を作成してプリント紙に出力する写真シールプリント方法において、
撮影開始信号を入力するステップと、
該撮影を行う装置を撮影開始位置から移動を開始させるステップと、
移動させながら撮影を実行するステップと、
撮影終了位置まで移動した時点で撮影を終了させるステップと、を有することを特徴とする、
写真シールプリント方法。
【発明の詳細な説明】
【０００１】
【発明の属する技術分野】
この発明は、被写体を照明して撮影し、撮影した画像を編集してシールシートに出力するような写真シールプリント装置、および写真シールプリント方法に関する。
【０００２】
【従来の技術】
従来、写真シールプリント装置として、被写体（使用者）の撮影を実施し、その撮影画像をタッチパネル付きのディスプレイに表示し、使用者がタッチペン等を使用して撮影画像に文字や図形等を追加変更する（この行為は一般に「落書き」と呼ばれる）ことにより編集し、その編集結果の画像をシール紙等のプリント紙に印刷するものが存在する。
【０００３】
【特許文献１】
特開平１１−６９２６８号公報
【０００４】
【発明が解決しようとする課題】
このような写真シールプリント装置では、写真を撮影し、撮影画像に対して落書きをする、という遊び方の流れが単調になりがちであり、使用者にとっては、自分の撮影したい画像や編集したい落書きに対しての自由度が少なく、満足できない場合があった。
【０００５】
たとえば、撮影画像については、より広範囲での画像を撮影したいという欲求がある。しかし、撮影に使用するデジタルカメラ等の撮影手段では画角が限られていて、その範囲内でしか撮影ができない。広角レンズで撮影すれば画角自体は広がるが、画像の解像度は使用する撮影手段によって決まるため、解像度の荒い画像しか得られず、また、撮影範囲の端のほうでは画像に歪みが生じるなどするため、満足できないという課題があった。（たとえば、特許文献１参照）
【０００６】
また、同じく撮影画像については、撮影を実施するのは一瞬であり、シャッタースピード等はあらかじめ定められたスピードでしか撮影できなかった。そのため、撮影における自由度が少なく、満足できないという課題があった。
【０００７】
また、落書きについては、使用者が自分で描いたイラスト等を画像に合成することはできるが、そのイラストはその場でタッチペンを使用してタッチパネルに描くしかなく、時間が限られており、描けるイラスト等は比較的簡単なものに限られてしまう、また、イラストを描きあげる前に制限時間が終了してしまい満足できないという課題があった。
【０００８】
また、同じく落書きについては、画像をスタンプ等に加工して合成するという機能はあるが、その画像はその場で撮影した使用者の画像等に限られており、自由度が少なく満足できないという課題があった。
【０００９】
本発明は、以上のような課題に対してなされたものであり、画像の撮影および落書きにおいて、より使用者の自由度を増加させる手段を提供することにより、満足度を向上させ、従来にない画像を得ることを目的とする。
【００１０】
【課題を解決するための手段】
請求項１の発明においては、従来の写真シールプリント装置に対して、撮影手段を動作させるための動作手段、動作手段を駆動・停止させる制御手段、撮影手段が撮影開始位置から撮影終了位置まで移動する過程において被写体を撮影する手段を追加しているため、従来の装置に比較してより多彩な画像が撮影でき、自由度が増加するという効果を持つ。
【００１１】
さらに、請求項２の発明においては、動作手段は、撮影手段を垂直方向および／または水平方向に移動、および／または回転させるので、より多彩な画像が撮影でき、自由度が増加するという効果を持つ。
【００１２】
さらに、請求項３の発明においては、撮影手段が移動するに従って複数の画像を撮影し、それらの画像を合成して一枚の画像とすることで、使用者の全身画像のような画角が広く、かつ解像度も悪化しない画像が得られるという効果を持つ。
【００１３】
さらに、請求項４の発明においては、撮影手段が移動する際にシャッタースピードを遅くして撮影することで、動きのある面白い画像を得ることができるという効果を持つ。
【００１４】
さらに、請求項５の発明においては、撮影手段が移動するに従って照明手段も移動するので、使用者にはあたかもコピー機やスキャナで撮影しているように感じられ、興趣が増すという効果を持つ。
【００１５】
さらに、請求項６の発明においては、使用者が持参した写真やイラスト等をスキャナ等の画像入力手段で取り込み、その画像をスタンプ等に加工して撮影した画像に合成できるので、落書きにおいて時間制限を気にしなくてすむ、また落書きでの自由度が増加するという効果を持つ。
【００１６】
さらに、請求項７の発明においては、従来の写真シールプリント方法に対して、撮影開始信号を入力するステップと、該撮影を行う装置を撮影開始位置から移動を開始させるステップと、移動させながら撮影を実行するステップと、撮影終了位置まで移動した時点で撮影を終了させるステップと、を追加しているため、従来の方法に比較してより多彩な画像が撮影でき、自由度が増加するという効果を持つ。
【００１７】
【発明の実施の形態】
（第１の形態）
この発明の一実施形態を以下図面と共に説明する。
【００１８】
まず、図１に示す斜視図と共に、第一の実施形態における写真シールプリント装置１の外観について説明する。
【００１９】
写真シールプリント装置１の垂直面１Ａには、カメラ移動用バー１１Ａ、１１Ｂ、１２を介してカメラ１０が取り付けられている。カメラ移動用バー１１Ａと１１Ｂはそれぞれ、垂直面１Ａの上部と下部に固定されている。カメラ移動用バー１２は、上部と下部でそれぞれカメラ移動用バー１１Ａと１１Ｂに接続されており、内蔵されたモータ（図示せず）の駆動力により水平方向に移動することができる。カメラ１０は、カメラ移動用バー１２に接続されており、内蔵されたモータ（図示せず）の駆動力により垂直方向に移動することができる。カメラ移動用バー１２およびカメラ１０自身が移動することにより、カメラ１０は、垂直面１Ａの全域にわたって垂直方向および水平方向に移動することができる。
【００２０】
カメラ１０により被写体の画像が取り込まれ、取り込まれている画像（動画像）がリアルタイムで画像表示部１３に表示される。撮影開始信号に従って、カメラ１０は、あらかじめ定められた、あるいは使用者の指示する撮影開始位置から撮影終了位置まで移動し、その過程で撮影を行う。
【００２１】
垂直面１Ａの左右には照明装置１７、１８が設けられている。照明装置１７、１８の内部には連続照明手段とフラッシュ照明手段が設けられている。連続照明手段は蛍光灯や白熱灯等により構成され、常時照明をおこなう。フラッシュ照明手段はストロボ等により構成され、撮影が行われるタイミングに合わせてフラッシュ光の照射が行われる。
【００２２】
撮影された画像（静止画像）は画像表示部１３に表示される。画像表示部１３の表面には入力手段であるタッチパネルが積層されており、タッチペンである落書きペン１４を使用することで使用者が落書き等をして画像を編集することが可能となる。
【００２３】
写真シールプリント装置１の側面には、シール取り出し口１６が設けられている。撮影され、落書き等による編集が施された画像が所定の大きさでシール紙等のプリント紙に印刷され、得られたプリント紙がシール取り出し口１６から排出される。
【００２４】
以上の構成により、写真シールプリント装置１は、撮影手段が撮影開始位置から撮影終了位置まで移動する過程において被写体の撮影を実施する。
【００２５】
次に、図２に示すブロック図と共に、写真シールプリント装置１の構造を説明する。
【００２６】
制御装置２０は、パーソナルコンピュータ等により構成され、写真シールプリント装置１の全体の動作を制御する。具体的には、制御装置２０内に設けられているＣＰＵ（Ｃｅｎｔｒａｌ  Ｐｒｏｃｅｓｓｉｎｇ  Ｕｎｉｔ、図示せず）により、ＲＯＭ（Ｒｅａｄ  ＯｎｌｙＭｅｍｏｒｙ）やハードディスクなどにより構成される記憶装置２１に記憶されている設定情報やプログラムに基づく処理が実行される。
【００２７】
コイン投入部２２は、使用者により所定の代金がコイン投入口１５に投入されたとき、それを検出し、起動信号として制御装置２０に通知する。
【００２８】
照明装置１７、１８はそれぞれ、連続照明手段とフラッシュ照明手段より構成される。連続照明手段は、制御装置２０からの照明制御信号に基づいて常時照明をおこなう。フラッシュ照明手段は、カメラ１０により被写体が撮影されるタイミングに合わせて、制御装置２０からの照明制御信号に基づいてフラッシュ光を出射する。出射されたフラッシュ光は、被写体（使用者）を照射する。
【００２９】
カメラ１０は、制御装置からの撮影指示に基づいて被写体（使用者）を撮影する。撮影された画像は、画像データとして制御装置２０に送られる。
【００３０】
カメラ移動手段３３は、カメラ移動用バー１２を移動させるためのモータと、カメラ１０を移動させるためのモータから構成され、制御装置２０からの駆動信号に基づいてカメラ１０を移動させる。
【００３１】
画像表示部１３は、制御装置２０からの画像信号に基づき、撮影画像や操作案内等を表示する。画像表示部１３にはタッチパネル等の入力手段２６が積層されている。入力手段２６は、落書きペン１４等により入力された使用者からの指示を入力信号として制御装置２０に出力する。
【００３２】
プリンタ２７は、編集処理が施された画像データが印刷データとして制御装置２０から供給されたとき、供給された印刷データにより表される画像を、使用者により選択された画像のサイズおよび分割数に従って、シール紙２９に印刷し、シール紙２９をシール取り出し口１６に排出する。
【００３３】
以上の構造により、制御装置２０は、カメラ１０がカメラ移動手段３３によって移動させられて撮影開始位置から撮影終了位置まで移動する過程において、被写体の撮影を実施する。
【００３４】
次に、図３に示す処理フロー図と共に写真シールプリント装置１の動作について、図４、図５の動作説明図を参照して説明する。
【００３５】
使用者によってコイン投入口１５にコイン（硬貨）が投入されると、コイン投入部２２が制御装置２０に起動信号を送信してプレイを開始する（ステップｎ１）。
【００３６】
制御装置２０は、カメラ１０で撮影している動画を画像表示部１３にプレビュー表示する。ここで撮影開始信号が入力されると、制御装置はカウントダウンを行ってカメラ１０による撮影を実行する（ステップｎ２）。撮影開始信号は、使用者が入力手段２６により入力してもよいし、別途設けられた撮影開始ボタンを押すことにより入力してもよいし、制御装置２０が自動的に信号を生成してもよい。カウントダウンは、画像によるもの、すなわち画像表示部１３に「３」「２」「１」「撮影」という文字等が順次表示されるようにしてもよいし、音声によるもの、すなわち別途設けられたスピーカー（図示せず）より「３」「２」「１」「撮影」というアナウンスをしてもよい。もちろん、画像と音声の両方でカウントダウンを行ってもよい。
【００３７】
このとき、カメラ１０はカメラ移動手段３３により移動しながら撮影をおこなう。カメラ１０を移動させる方法としては、たとえば図４に示すように移動範囲の左上にある撮影開始位置４０Ａから右下にある撮影終了位置４１Ａへ斜めに移動させる方法がある。カメラ１０はカメラ移動用バー１２を上から下へ移動し、それとともにカメラ移動用バー１２はカメラ移動用バー１１Ａ、１１Ｂを左から右へ移動することで、カメラ１０が撮影開始位置４０Ａから撮影開始位置４０Ｂへ移動する。
【００３８】
移動させる方法としては他に、たとえば図５に示すように左上の撮影開始位置４０Ｂから右上へ水平に移動し、次に撮影開始位置４０Ｂの直下に移動してその位置から右へ水平に移動し、これを繰り返して右下の撮影終了位置４１Ｂに到達する方法でもよい。
【００３９】
撮影する方法としては、カメラ１０を移動させながら任意の位置で複数回の撮影を実施する方法がある。この場合は、撮影された複数の画像を合成して一枚の画像とすることで、使用者の全身画像のような画角が広く、かつ解像度も悪化しない画像が得られる。以降のステップでは、その合成画像に対して落書き編集処理を実行する。
【００４０】
このように複数回の撮影を実施する方法の一例として、図６に示すような方法がある。この例では、カメラ１０は図５に示す方法で移動する。この過程で、図６（ａ）に示した撮影位置５０Ａ、５０Ｂ、５０Ｃ、５０Ｄの４ヶ所で撮影を実施する。撮影された画像は、撮影位置５０Ａでは図６（ｂ）、撮影位置５０Ｂでは図６（ｃ）、撮影位置５０Ｃでは図６（ｄ）、撮影位置５０Ｄでは図６（ｅ）のようになる。カメラ１０の画角に限度があるので、図６（ｂ）、（ｃ）、（ｄ）、（ｅ）の個々の画像では使用者（被写体）３人の人物の全身は写っていない。これらの４枚の画像を合成して１枚の画像とすることにより、図６（ｆ）のように、３人の人物の全身が写り、しかも解像度も悪化しない画像を得ることができる。
【００４１】
また、カメラ１０を移動させながらシャッタースピードを遅くして１回の撮影を実施する方法もある。この場合は、動きのある面白い画像を得ることができる。
【００４２】
前記撮影処理が終了すると、制御装置２０は撮影画像に落書き等の編集を許容する落書き編集処理を実行する（ステップｎ３）。この落書き編集処理では、縁どりペンやラメペン等のペンツール、及び、さくらんぼや犬等の画像をスタンプのように書込めるスタンプツール等の落書きツールを表示し、使用者に選択された撮影画像に対して落書きツールを利用した落書き編集を許容する。
【００４３】
前記落書き編集処理が終了すると、制御装置２０は落書き編集画像をプリンタ２７でシール紙２９に印刷し、完成したシール紙２９をシール取り出し口１６より出力し（ステップｎ４）、プレイを終了する。ここで、印刷するプリント紙はシール紙に限らず、印刷可能な紙であれば他の紙でもプリント紙として使用できる。
【００４４】
プレイ終了後、制御装置２０はカメラ１０を移動させて、撮影開始位置４０Ａ、４０Ｂ等、カメラ１０が最初にあった位置に復帰させる。なお、この復帰処理は、プレイ終了後ではなく、撮影処理終了時からプレイ終了時までの間の任意のタイミングでおこなってもかまわない。
【００４５】
（第２の形態）
次に、他の実施形態として、カメラ１０を回転させる場合について、図７、図８に示す説明図と共に説明する。
【００４６】
図７（ａ）に示す実施形態では、カメラ１０は筐体天井部３０に取り付けられた透明のカメラカバー３１の内側に設置されている。ステップｎ２において、カメラ１０はカメラ移動手段３３により回転しながら撮影をおこなう。撮影された画像のイメージは、たとえば図７（ｂ）のようになる。カメラ１０はたとえば３６０度回転し、撮影開始位置と撮影終了位置は同一の位置である。なお、カメラ１０の回転角度は３６０度より小さくてもよいし、大きくてもよい。
【００４７】
（第３の形態）
また、図８（ａ）に示す実施形態のように、カメラ１０を回転に加えて移動させてもよい。この実施形態ではカメラ１０を複数持ち、カメラ１０が上部から下部に降下してきて、降下後に３６０度回転して撮影する。降下しながら回転して撮影してもよい。
【００４８】
これら図７（ａ）、図８（ａ）に示す実施形態では、カメラ１０のシャッタースピードを使用者が調整できるようにしてもよい。図８（ａ）に示す実施形態で撮影された画像のイメージは、たとえば図８（ｂ）のようになる。この場合は、撮影前に画像表示部１３に図９（ａ）に示すようなシャッタースピードを変更するかどうかの問い合わせ画面が表示される。使用者は「変更」「しない」のどちらかを入力手段２６により選択し入力する。「しない」を選択した場合は、あらかじめ定められたシャッタースピードで撮影をおこなう。「変更」を選択した場合は、次に図９（ｂ）に示すようなシャッタースピードの変更画面が表示される。使用者は、入力手段２６によりシャッタースピードを変更して入力する。
【００４９】
（第４の形態）
次に、他の実施形態として、カメラ１０の移動と同時に蛍光灯等の照明手段も移動させる場合を、図１０に示す説明図に基づいて説明する。
【００５０】
これは、図４に示した実施形態に蛍光灯４２を追加したものである。蛍光灯４２は左右にある蛍光灯移動用バー４３Ａ、４３Ｂに水平に接続され、垂直方向に移動可能となっている。カメラ１０にはリング状の蛍光灯ガイド４４Ａ、４４Ｂが固定されていて、その中を蛍光灯４２が通っている。カメラ１０が移動するのに追従して、蛍光灯４２は蛍光灯ガイド４４Ａ、４４Ｂによって垂直方向に移動する。
【００５１】
移動させる照明手段は蛍光灯に限らず、白熱灯等の他の照明手段でもよい。また、垂直に取り付けた照明手段を、水平方向に移動させてもよい。また、カメラに追従して移動させる方法も、蛍光灯ガイド４４Ａ、４４Ｂを用いるものでなく、蛍光灯４２もしくは蛍光灯移動用バー４３Ａ、４３Ｂにモータ等の駆動手段を取り付け、制御装置２０からの駆動信号によってカメラの移動に同期させて移動させる方法でもよい。
【００５２】
（第５の形態）
次に、他の実施形態として、画像入力手段を追加した場合について、図１１、図１２に示す説明図に基づいて説明する。
【００５３】
図１１（ａ）は本実施形態における写真シールプリント装置の機器斜視図である。図１に示した実施形態にスキャナ設置部１９を追加したものである。図１１（ｂ）は、スキャナ設置部に設置されたスキャナ４５の斜視図である。
【００５４】
スキャナ設置部１９には、画像入力手段としてスキャナ４５が設置されている。ステップｎ２の前、あるいはステップｎ２の後に、画像表示部１３に、図１２（ａ）に示すような画像入力をするかどうかの問い合わせ画面が表示される。使用者は「する」「しない」のどちらかを入力手段２６により選択し入力する。「しない」を選択した場合は、画像入力をおこなわずに次のステップに進む。「する」を選択した場合は、使用者はスキャナ４５に入力したい写真やイラスト等を置く。置かれた画像はスキャナ４５によりスキャンされて入力され、入力された画像は図１２（ｂ）に示すように画像表示部１３に表示される。
【００５５】
ここで使用者は、入力された画像からスタンプ等に加工する範囲を落書きペン１４により選択することができる。スタンプ等に加工された画像は、あらかじめ用意されたスタンプ等と同様に、落書きに使用することができる。
【００５６】
なお、１画像だけでなく、複数個の画像をスタンプ等に加工できるようにしてもよい。この場合は、１回のスキャン結果に対して落書きペン１４による選択を複数回実施できるようにしてもよいし、スキャンを複数回実施できるようにしてもよい。また、スタンプ等に加工した画像を、次回のプレイでも使用できるようにするため、保存できるようにしてもよい。保存の方法としては、写真シールプリント装置内の記憶装置２１に記憶する方法、使用者が持ち運び可能なメモリーカード等の記憶媒体に記憶する方法、複数の写真シールプリント装置をネットワークで接続し、それらを管理するサーバー等に記憶する方法等がある。
【００５７】
【発明の効果】
本発明の写真シールプリント装置は、以上のように、従来の写真シールプリント装置に対して、撮影手段を動作させるための動作手段、移動手段を駆動・停止させる制御手段、撮影手段が撮影開始位置から撮影終了位置まで移動する過程において被写体を撮影する手段を追加しているものである。
【００５８】
上記構成によれば、従来の装置に比較してより多彩な画像が撮影でき、自由度が増加するという効果を奏する。
【００５９】
また、本発明の写真シールプリント装置は、動作手段が撮影手段を垂直方向および／または水平方向に移動、および／または回転させるものである。
【００６０】
上記構成によれば、より多彩な画像が撮影でき、自由度が増加するという効果を奏する。
【００６１】
また、本発明の写真シールプリント装置は、撮影手段が移動するに従って複数の画像を撮影し、それらの画像を合成して一枚の画像とするものである。
【００６２】
上記構成によれば、画角が広くかつ解像度も悪化しない画像が得られるという効果を奏する。
【００６３】
また、本発明の写真シールプリント装置は、撮影手段が移動する際にシャッタースピードを遅くして撮影するものである。
【００６４】
上記構成によれば、動きのある面白い画像を得ることができるという効果を奏する。
【００６５】
また、本発明の写真シールプリント装置は、撮影手段が移動するに従って照明手段も移動するものである。
【００６６】
上記構成によれば、使用者にはあたかもコピー機やスキャナで撮影しているように感じられ、興趣が増すという効果を奏する。
【００６７】
また、本発明の写真シールプリント装置は、使用者が持参した写真やイラスト等をスキャナ等の画像入力手段で取り込み、その画像をスタンプ等に加工して撮影した画像に合成できるものである。
【００６８】
上記構成によれば、落書きにおいて時間制限を気にしなくてすむ、また落書きでの自由度が増加するという効果を奏する。
【００６９】
また、本発明の写真シールプリント方法は、従来の写真シールプリント方法に対して、撮影開始信号を入力するステップと、該撮影を行う装置を撮影開始位置から移動を開始させるステップと、移動させながら撮影を実行するステップと、撮影終了位置まで移動した時点で撮影を終了させるステップと、を追加しているものである。
【００７０】
上記構成の写真シールプリント方法によれば、従来の方法に比較してより多彩な画像が撮影でき、自由度が増加するという効果を奏する。
【図面の簡単な説明】
【図１】本発明の一実施の形態による写真シールプリント装置を示す斜視図。
【図２】本発明の一実施の形態による写真シールプリント装置のブロック図。
【図３】本発明の一実施の形態による写真シールプリント装置のフロー図。
【図４】本発明の一実施の形態による写真シールプリント装置の動作を示す正面図。
【図５】本発明の一実施の形態による写真シールプリント装置の動作を示す正面図。
【図６】本発明の一実施の形態による写真シールプリント装置で撮影された画像を示すイメージ図。
【図７】本発明の一実施の形態による写真シールプリント装置の動作を示す側面図。
【図８】本発明の一実施の形態による写真シールプリント装置の動作を示す側面図。
【図９】本発明の一実施の形態による写真シールプリント装置の画像表示部に表示されるイメージ図。
【図１０】本発明の一実施の形態による写真シールプリント装置の動作を示す正面図。
【図１１】本発明の一実施の形態による写真シールプリント装置を示す斜視図。
【図１２】本発明の一実施の形態による写真シールプリント装置の画像表示部に表示されるイメージ図。
【符号の説明】
１  写真シールプリント装置
１０  カメラ
１１Ａ、１１Ｂ、１２  カメラ移動用バー
１３  画像表示部
１４  落書きペン
１５  コイン投入口
１６  シール取出し口
１７、１８  照明装置
１９  スキャナ設置部
２０  制御装置
２１  記憶装置
２２  コイン投入部
２６  入力手段
２７  プリンタ
２９  シール紙
３０  筐体天井部
３１  カメラカバー
３２Ａ  カメラ格納位置
３２Ｂ  カメラ撮影位置
３３  カメラ移動手段
４０Ａ、４０Ｂ  撮影開始位置
４１Ａ、４１Ｂ  撮影終了位置
４２  蛍光灯
４３Ａ、４３Ｂ  蛍光灯移動用バー
４４Ａ、４４Ｂ  蛍光灯ガイド
４５  スキャナ
４６  読取画像
５０Ａ、５０Ｂ、５０Ｃ、５０Ｄ  撮影位置
【図１】
2004236122.tif 000003
【図２】
2004236122.tif 000004
【図３】
2004236122.tif 000005
【図４】
2004236122.tif 000006
【図５】
2004236122.tif 000007
【図６】
2004236122.tif 000008
【図７】
2004236122.tif 000009
【図８】
2004236122.tif 000010
【図９】
2004236122.tif 000011
【図１０】
2004236122.tif 000012
【図１１】
2004236122.tif 000013
【図１２】
2004236122.tif 000014